(57)【要約】【課題】映像再生装置を複数のユーザが複数の表示装置で利用する場合に、各ユーザが各々の表示装置において過去に再生した映像の続きから再生できるようにする。【解決手段】再生を開始するときは、表示装置２からＩＤを取得し、そのＩＤに対応付けられた再生停止位置情報を検索し、検索した再生停止位置情報を用いて、その位置から再生するように映像音声信号を映像音声出力端子７０に出力する。一方、再生を停止する時は、前記取得した表示装置２のＩＤと対応付けて再生停止位置情報を記憶するようにして、複数のユーザが複数の表示装置で利用する場合に、各ユーザが各々の表示装置において過去に再生した映像の続きから再生できるようにする。【選択図】図１
2008294836.tif 000002
【特許請求の範囲】
【請求項１】
記録媒体から映像データを再生する再生手段と、
前記再生手段により再生された映像データを外部表示装置に出力する出力手段と、
前記外部表示装置の識別情報を取得する取得手段と、
前記再生手段による前記映像データの再生を停止した際の再生停止位置に係る停止位置情報を、前記取得手段によって取得された識別情報と対応付けて記憶する記憶手段と、
前記記憶手段に記憶された複数の前記停止位置情報のうち前記取得手段により取得された識別情報に対応する停止位置情報を前記記憶手段より読み出し、前記読み出した停止位置情報に係る再生位置より前記映像データを再生するよう前記再生手段を制御する制御手段とを備えることを特徴とする映像再生装置。
【請求項２】
前記制御手段は、前記取得手段によって前記識別情報を取得できない場合は、所定の再生位置より前記映像データを再生するよう前記再生手段を制御することを特徴とする請求項１に記載の映像再生装置。
【請求項３】
前記出力手段は、通信路を介して前記表示装置に対して前記映像データを出力する通信手段を有し、前記通信手段は前記通信路を介して前記表示装置から送信された識別情報を受信し、前記取得手段は前記受信された識別情報を取得することを特徴とする請求項１に記載の映像再生装置。
【請求項４】
前記再生手段により再生された映像データに係る映像を表示する表示部を備え、
前記記憶手段は、前記表示部に対する前記再生された映像データの表示中に再生を停止した際の再生停止位置に係る内部停止位置情報を記憶し、
前記制御手段は、前記出力手段と前記外部表示装置とが接続されていない場合には、前記内部停止位置情報に係る再生位置より前記映像データを再生するよう前記再生手段を制御することを特徴とする請求項１に記載の映像再生装置。
【請求項５】
前記再生手段により再生された映像データに係る映像を表示する表示部を備え、
前記記憶手段は、前記表示部に対する前記再生された映像データの表示中に再生を停止した際の再生停止位置に係る内部停止位置情報を記憶し、
前記制御手段は、前記取得手段により前記識別情報が取得できない場合には、前記内部停止位置情報に係る再生位置より前記映像データを再生するよう前記再生手段を制御することを特徴とする請求項１に記載の映像再生装置。
【請求項６】
前記記憶手段は、前記出力手段と前記外部表示装置が接続されていない状態で、前記表示部に対する映像データの表示中に再生を停止した際の再生停止位置を検出して前記内部停止位置情報を記憶することを特徴とする請求項４または５に記載の映像再生装置。
【請求項７】
前記取得手段は、前記識別情報を要求する要求コマンドを前記外部表示装置に送信すると共に前記要求コマンドに応じて前記外部表示装置から送信された識別情報を受信する通信手段を有し、前記映像データの再生指示に応じて前記要求コマンドを送信することを特徴とする請求項１に記載の映像再生装置。
【請求項８】
記録媒体から映像データを再生する再生手段と、
前記再生手段により再生された映像データを外部表示装置に出力する出力手段と、
前記再生手段により再生された映像データに係る映像を表示する表示部と、
前記外部表示装置の識別情報を取得する取得手段と、
前記外部表示装置に対する前記映像データの出力中に再生を停止した際の再生停止位置に係る外部停止位置情報を前記取得手段によって取得された識別情報と対応付けて記憶すると共に、前記表示部に対する前記再生された映像データの表示中に再生を停止した際の再生停止位置に係る内部停止位置情報とを記憶する記憶手段と、
前記記憶手段に記憶された外部停止位置情報、または、前記内部停止位置情報に係る再生位置より前記映像データを再生するよう前記再生手段を制御する制御手段とを備え、
前記制御手段は、前記取得手段により前記識別情報が取得されている場合には前記記憶手段に記憶された複数の外部停止位置情報のうち前記取得された識別情報に対応する外部停止位置情報に従って再生開始位置を決定し、前記取得手段により前記識別情報が取得されていない場合には前記内部停止位置情報に従って前記再生開始位置を決定することを特徴とする映像再生装置。
【請求項９】
記録媒体から映像データを再生する再生手段と、
前記再生手段により再生された映像データを外部表示装置に出力する出力手段と、
前記再生手段により再生された映像データに係る映像を表示部に表示する表示制御手段と、
前記外部表示装置の識別情報を取得する取得手段と、
前記外部表示装置に対する前記映像データの出力中に再生を停止した際の再生停止位置に係る外部停止位置情報を前記取得手段によって取得された識別情報と対応付けて記憶すると共に、前記表示部に対する前記再生された映像データの表示中に再生を停止した際の再生停止位置に係る内部停止位置情報とを記憶する記憶手段と、
前記記憶手段に記憶された外部停止位置情報、または、前記内部停止位置情報に係る再生位置より前記映像データを再生するよう前記再生手段を制御する制御手段とを備え、
前記制御手段は、前記表示制御手段により前記表示部に表示しないように制御されている場合には前記記憶手段に記憶された複数の外部停止位置情報のうち前記取得された識別情報に対応する外部停止位置情報に従って再生開始位置を決定し、前記表示制御手段により前記表示部に表示するように制御されている場合には前記内部停止位置情報に従って前記再生開始位置を決定することを特徴とする映像再生装置。
【請求項１０】
記録媒体から映像データを再生する再生工程と、
前記再生工程において再生した映像データを外部表示装置に出力手段から出力する出力工程と、
前記外部表示装置の識別情報を取得する取得工程と、
前記再生工程における前記映像データの再生を停止した際の再生停止位置に係る停止位置情報を、前記取得工程において取得した識別情報と対応付けて記憶手段に記憶する記憶工程と、
前記記憶手段に記憶された複数の前記停止位置情報のうち前記取得工程において取得した識別情報に対応する停止位置情報を前記記憶手段より読み出し、前記読み出した停止位置情報に係る再生位置より前記映像データを再生するよう前記再生工程における処理を制御する制御工程とを備えることを特徴とする映像再生方法。
【請求項１１】
前記制御工程においては、前記取得工程において前記識別情報を取得できない場合は、所定の再生位置より前記映像データを再生するよう前記再生工程における処理を制御することを特徴とする請求項１０に記載の映像再生方法。
【請求項１２】
前記出力工程においては、通信路を介して前記表示装置に対して前記映像データを出力する通信工程を有し、前記通信工程においては前記通信路を介して前記表示装置から送信された識別情報を受信し、前記取得工程においては前記受信された識別情報を取得することを特徴とする請求項１０に記載の映像再生方法。
【請求項１３】
前記再生工程において再生した映像データに係る映像を表示部に表示する表示制御工程を備え、
前記記憶工程においては、前記表示部に対する前記再生された映像データの表示中に再生を停止した際の再生停止位置に係る内部停止位置情報を記憶し、
前記制御工程においては、前記出力手段と前記外部表示装置とが接続されていない場合には、前記内部停止位置情報に係る再生位置より前記映像データを再生するよう前記再生工程における処理を制御することを特徴とする請求項１０に記載の映像再生方法。
【請求項１４】
前記再生工程において再生した映像データに係る映像を表示部に表示する表示制御工程を備え、
前記記憶工程においては、前記表示部に対する前記再生された映像データの表示中に再生を停止した際の再生停止位置に係る内部停止位置情報を記憶し、
前記制御工程においては、前記取得工程において前記識別情報が取得できない場合には、前記内部停止位置情報に係る再生位置より前記映像データを再生するよう前記再生工程における処理を制御することを特徴とする請求項１０に記載の映像再生方法。
【請求項１５】
前記記憶工程においては、前記出力手段と前記外部表示装置が接続されていない状態で、前記表示部に対する映像データの表示中に再生を停止した際の再生停止位置を検出して前記内部停止位置情報を記憶することを特徴とする請求項１３または１４に記載の映像再生方法。
【請求項１６】
前記取得工程においては、前記識別情報を要求する要求コマンドを前記外部表示装置に送信すると共に前記要求コマンドに応じて前記外部表示装置から送信された識別情報を受信する通信工程を有し、前記映像データの再生指示に応じて前記要求コマンドを送信することを特徴とする請求項１０に記載の映像再生方法。
【請求項１７】
記録媒体から映像データを再生する再生工程と、
前記再生工程において再生した映像データを外部表示装置に出力手段から出力する出力工程と、
前記再生工程において再生した映像データに係る映像を表示部に表示する表示制御工程と、
前記外部表示装置の識別情報を取得する取得工程と、
前記外部表示装置に対する前記映像データの出力中に再生を停止した際の再生停止位置に係る外部停止位置情報を前記取得工程において取得した識別情報と対応付けて記憶すると共に、前記表示部に対する前記再生された映像データの表示中に再生を停止した際の再生停止位置に係る内部停止位置情報とを記憶手段に記憶する記憶工程と、
前記記憶手段に記憶された外部停止位置情報、または、前記内部停止位置情報に係る再生位置より前記映像データを再生するよう前記再生工程における処理を制御する制御工程とを備え、
前記制御工程においては、前記取得工程において前記識別情報が取得されている場合には前記記憶手段に記憶された複数の外部停止位置情報のうち前記取得された識別情報に対応する外部停止位置情報に従って再生開始位置を決定し、前記取得工程において前記識別情報が取得されていない場合には前記内部停止位置情報に従って前記再生開始位置を決定することを特徴とする映像再生方法。
【請求項１８】
記録媒体から映像データを再生する再生工程と、
前記再生工程において再生した映像データを外部表示装置に出力手段から出力する出力工程と、
前記再生工程において再生した映像データに係る映像を表示部に表示する表示制御工程と、
前記外部表示装置の識別情報を取得する取得工程と、
前記外部表示装置に対する前記映像データの出力中に再生を停止した際の再生停止位置に係る外部停止位置情報を前記取得工程において取得した識別情報と対応付けて記憶すると共に、前記表示部に対する前記再生された映像データの表示中に再生を停止した際の再生停止位置に係る内部停止位置情報とを記憶手段に記憶する記憶工程と、
前記記憶手段に記憶された外部停止位置情報、または、前記内部停止位置情報に係る再生位置より前記映像データを再生するよう前記再生工程における処理を制御する制御工程とを備え、
前記制御工程においては、前記表示制御工程において前記表示部に表示しないように制御している場合には前記記憶手段に記憶された複数の外部停止位置情報のうち前記取得された識別情報に対応する外部停止位置情報に従って再生開始位置を決定し、前記表示制御工程において前記表示部に表示するように制御している場合には前記内部停止位置情報に従って前記再生開始位置を決定することを特徴とする映像再生方法。
【請求項１９】
記録媒体から映像データを再生する再生工程と、
前記再生工程において再生した映像データを外部表示装置に出力手段から出力する出力工程と、
前記外部表示装置の識別情報を取得する取得工程と、
前記再生工程における前記映像データの再生を停止した際の再生停止位置に係る停止位置情報を、前記取得工程において取得した識別情報と対応付けて記憶手段に記憶する記憶工程と、
前記記憶手段に記憶された複数の前記停止位置情報のうち前記取得工程において取得した識別情報に対応する停止位置情報を前記記憶手段より読み出し、前記読み出した停止位置情報に係る再生位置より前記映像データを再生するよう前記再生工程における処理を制御する制御工程とをコンピュータに実行させることを特徴とするプログラム。
【請求項２０】
記録媒体から映像データを再生する再生工程と、
前記再生工程において再生した映像データを外部表示装置に出力手段から出力する出力工程と、
前記再生工程において再生した映像データに係る映像を表示部に表示する表示制御工程と、
前記外部表示装置の識別情報を取得する取得工程と、
前記外部表示装置に対する前記映像データの出力中に再生を停止した際の再生停止位置に係る外部停止位置情報を前記取得工程において取得した識別情報と対応付けて記憶すると共に、前記表示部に対する前記再生された映像データの表示中に再生を停止した際の再生停止位置に係る内部停止位置情報とを記憶手段に記憶する記憶工程と、
前記記憶手段に記憶された外部停止位置情報、または、前記内部停止位置情報に係る再生位置より前記映像データを再生するよう前記再生工程における処理を制御する制御工程とをコンピュータに実行させ、
前記制御工程においては、前記取得工程において前記識別情報が取得されている場合には前記記憶手段に記憶された複数の外部停止位置情報のうち前記取得された識別情報に対応する外部停止位置情報に従って再生開始位置を決定し、前記取得工程において前記識別情報が取得されていない場合には前記内部停止位置情報に従って前記再生開始位置を決定するようにコンピュータに実行させることを特徴とするプログラム。
【請求項２１】
記録媒体から映像データを再生する再生工程と、
前記再生工程において再生した映像データを外部表示装置に出力手段から出力する出力工程と、
前記再生工程において再生した映像データに係る映像を表示部に表示する表示制御工程と、
前記外部表示装置の識別情報を取得する取得工程と、
前記外部表示装置に対する前記映像データの出力中に再生を停止した際の再生停止位置に係る外部停止位置情報を前記取得工程において取得した識別情報と対応付けて記憶すると共に、前記表示部に対する前記再生された映像データの表示中に再生を停止した際の再生停止位置に係る内部停止位置情報とを記憶手段に記憶する記憶工程と、
前記記憶手段に記憶された外部停止位置情報、または、前記内部停止位置情報に係る再生位置より前記映像データを再生するよう前記再生工程における処理を制御する制御工程とをコンピュータに実行させ、
前記制御工程においては、前記表示制御工程において前記表示部に表示しないように制御している場合には前記記憶手段に記憶された複数の外部停止位置情報のうち前記取得された識別情報に対応する外部停止位置情報に従って再生開始位置を決定し、前記表示制御工程において前記表示部に表示するように制御している場合には前記内部停止位置情報に従って前記再生開始位置を決定するようにコンピュータに実行させることを特徴とするプログラム。
【請求項２２】
請求項１９〜２１の何れか１項に記載のプログラムを記録したことを特徴とするコンピュータ読み取り可能な記録媒体。
【発明の詳細な説明】
【技術分野】
【０００１】
本発明は映像再生装置、映像再生方法、プログラム、及び記録媒体に関し、特に、映像を再生するために用いて好適な技術に関する。
【背景技術】
【０００２】
従来、映像信号を撮影してメモリカードや光ディスク、ＨＤＤなどのランダムアクセスメディアに記録するビデオカメラが知られている。このようなビデオカメラにおいては、外部のＴＶモニタなどの表示装置と接続するための接続端子を持ち、記録された映像信号を再生して外部の表示装置の表示画面に表示させることができる。
【０００３】
また、ビデオカメラなどランダムアクセスメディアに記録された映像信号を再生する装置においては、映像データの再生中に再生を停止した場合、停止位置を記憶しておき、後日、続きから再生するレジューム機能を持つものもある（例えば、特許文献１参照）。
【０００４】
【特許文献１】特開２００５−１４２６１０号公報
【発明の開示】
【発明が解決しようとする課題】
【０００５】
しかしながら、一般にビデオカメラなどにおいては、複数のユーザが利用する場合もある。したがって、前記特許文献１に記載されている機能を有するビデオカメラにおいても、再生を中断している間に他の人が使ってしまう可能性がある。このため、再生を中断している間に、例えば、他のユーザによってビデオカメラが別の部屋に置いてあるモニタに接続されて再生操作がなされた場合、記憶されていた再生停止が変更されてしまう可能性がある。再生停止位置が変更された場合、以前に再生した映像の続きを再生することができないという問題点があった。
【０００６】
本発明は前述の問題点に鑑み、映像再生装置を複数のユーザが複数の表示装置で利用する場合に、各ユーザが各々の表示装置において過去に再生した映像の続きから再生できるようにすることを目的としている。
【課題を解決するための手段】
【０００７】
本発明の映像再生装置は、記録媒体から映像データを再生する再生手段と、前記再生手段により再生された映像データを外部表示装置に出力する出力手段と、前記外部表示装置の識別情報を取得する取得手段と、前記再生手段による前記映像データの再生を停止した際の再生停止位置に係る停止位置情報を、前記取得手段によって取得された識別情報と対応付けて記憶する記憶手段と、前記記憶手段に記憶された複数の前記停止位置情報のうち前記取得手段により取得された識別情報に対応する停止位置情報を前記記憶手段より読み出し、前記読み出した停止位置情報に係る再生位置より前記映像データを再生するよう前記再生手段を制御する制御手段とを備えることを特徴とする。
また、本発明の映像再生装置の他の特徴とするところは、記録媒体から映像データを再生する再生手段と、前記再生手段により再生された映像データを外部表示装置に出力する出力手段と、前記再生手段により再生された映像データに係る映像を表示する表示部と、前記外部表示装置の識別情報を取得する取得手段と、前記外部表示装置に対する前記映像データの出力中に再生を停止した際の再生停止位置に係る外部停止位置情報を前記取得手段によって取得された識別情報と対応付けて記憶すると共に、前記表示部に対する前記再生された映像データの表示中に再生を停止した際の再生停止位置に係る内部停止位置情報とを記憶する記憶手段と、前記記憶手段に記憶された外部停止位置情報、または、前記内部停止位置情報に係る再生位置より前記映像データを再生するよう前記再生手段を制御する制御手段とを備え、前記制御手段は、前記取得手段により前記識別情報が取得されている場合には前記記憶手段に記憶された複数の外部停止位置情報のうち前記取得された識別情報に対応する外部停止位置情報に従って再生開始位置を決定し、前記取得手段により前記識別情報が取得されていない場合には前記内部停止位置情報に従って前記再生開始位置を決定することを特徴とする。
また、本発明の映像再生装置のその他の特徴とするところは、記録媒体から映像データを再生する再生手段と、前記再生手段により再生された映像データを外部表示装置に出力する出力手段と、前記再生手段により再生された映像データに係る映像を表示部に表示する表示制御手段と、前記外部表示装置の識別情報を取得する取得手段と、前記外部表示装置に対する前記映像データの出力中に再生を停止した際の再生停止位置に係る外部停止位置情報を前記取得手段によって取得された識別情報と対応付けて記憶すると共に、前記表示部に対する前記再生された映像データの表示中に再生を停止した際の再生停止位置に係る内部停止位置情報とを記憶する記憶手段と、前記記憶手段に記憶された外部停止位置情報、または、前記内部停止位置情報に係る再生位置より前記映像データを再生するよう前記再生手段を制御する制御手段とを備え、前記制御手段は、前記表示制御手段により前記表示部に表示しないように制御されている場合には前記記憶手段に記憶された複数の外部停止位置情報のうち前記取得された識別情報に対応する外部停止位置情報に従って再生開始位置を決定し、前記表示制御手段により前記表示部に表示するように制御されている場合には前記内部停止位置情報に従って前記再生開始位置を決定することを特徴とする。
【０００８】
本発明の映像再生方法は、記録媒体から映像データを再生する再生工程と、前記再生工程において再生した映像データを外部表示装置に出力手段から出力する出力工程と、前記外部表示装置の識別情報を取得する取得工程と、前記再生工程における前記映像データの再生を停止した際の再生停止位置に係る停止位置情報を、前記取得工程において取得した識別情報と対応付けて記憶手段に記憶する記憶工程と、前記記憶手段に記憶された複数の前記停止位置情報のうち前記取得工程において取得した識別情報に対応する停止位置情報を前記記憶手段より読み出し、前記読み出した停止位置情報に係る再生位置より前記映像データを再生するよう前記再生工程における処理を制御する制御工程とを備えることを特徴とする。
また、本発明の映像再生方法の他の特徴とするところは、記録媒体から映像データを再生する再生工程と、前記再生工程において再生した映像データを外部表示装置に出力手段から出力する出力工程と、前記再生工程において再生した映像データに係る映像を表示部に表示する表示制御工程と、前記外部表示装置の識別情報を取得する取得工程と、前記外部表示装置に対する前記映像データの出力中に再生を停止した際の再生停止位置に係る外部停止位置情報を前記取得工程において取得した識別情報と対応付けて記憶すると共に、前記表示部に対する前記再生された映像データの表示中に再生を停止した際の再生停止位置に係る内部停止位置情報とを記憶手段に記憶する記憶工程と、前記記憶手段に記憶された外部停止位置情報、または、前記内部停止位置情報に係る再生位置より前記映像データを再生するよう前記再生工程における処理を制御する制御工程とを備え、前記制御工程においては、前記取得工程において前記識別情報が取得されている場合には前記記憶手段に記憶された複数の外部停止位置情報のうち前記取得された識別情報に対応する外部停止位置情報に従って再生開始位置を決定し、前記取得工程において前記識別情報が取得されていない場合には前記内部停止位置情報に従って前記再生開始位置を決定することを特徴とする。
また、本発明の映像再生方法のその他の特徴とするところは、記録媒体から映像データを再生する再生工程と、前記再生工程において再生した映像データを外部表示装置に出力手段から出力する出力工程と、前記再生工程において再生した映像データに係る映像を表示部に表示する表示制御工程と、前記外部表示装置の識別情報を取得する取得工程と、前記外部表示装置に対する前記映像データの出力中に再生を停止した際の再生停止位置に係る外部停止位置情報を前記取得工程において取得した識別情報と対応付けて記憶すると共に、前記表示部に対する前記再生された映像データの表示中に再生を停止した際の再生停止位置に係る内部停止位置情報とを記憶手段に記憶する記憶工程と、前記記憶手段に記憶された外部停止位置情報、または、前記内部停止位置情報に係る再生位置より前記映像データを再生するよう前記再生工程における処理を制御する制御工程とを備え、前記制御工程においては、前記表示制御工程において前記表示部に表示しないように制御している場合には前記記憶手段に記憶された複数の外部停止位置情報のうち前記取得された識別情報に対応する外部停止位置情報に従って再生開始位置を決定し、前記表示制御工程において前記表示部に表示するように制御している場合には前記内部停止位置情報に従って前記再生開始位置を決定することを特徴とする。
【０００９】
本発明のプログラムは、記録媒体から映像データを再生する再生工程と、前記再生工程において再生した映像データを外部表示装置に出力手段から出力する出力工程と、前記外部表示装置の識別情報を取得する取得工程と、前記再生工程における前記映像データの再生を停止した際の再生停止位置に係る停止位置情報を、前記取得工程において取得した識別情報と対応付けて記憶手段に記憶する記憶工程と、前記記憶手段に記憶された複数の前記停止位置情報のうち前記取得工程において取得した識別情報に対応する停止位置情報を前記記憶手段より読み出し、前記読み出した停止位置情報に係る再生位置より前記映像データを再生するよう前記再生工程における処理を制御する制御工程とをコンピュータに実行させることを特徴とする。
また、本発明のプログラムの他の特徴とするところは、記録媒体から映像データを再生する再生工程と、前記再生工程において再生した映像データを外部表示装置に出力手段から出力する出力工程と、前記再生工程において再生した映像データに係る映像を表示部に表示する表示制御工程と、前記外部表示装置の識別情報を取得する取得工程と、前記外部表示装置に対する前記映像データの出力中に再生を停止した際の再生停止位置に係る外部停止位置情報を前記取得工程において取得した識別情報と対応付けて記憶すると共に、前記表示部に対する前記再生された映像データの表示中に再生を停止した際の再生停止位置に係る内部停止位置情報とを記憶手段に記憶する記憶工程と、前記記憶手段に記憶された外部停止位置情報、または、前記内部停止位置情報に係る再生位置より前記映像データを再生するよう前記再生工程における処理を制御する制御工程とをコンピュータに実行させ、前記制御工程においては、前記取得工程において前記識別情報が取得されている場合には前記記憶手段に記憶された複数の外部停止位置情報のうち前記取得された識別情報に対応する外部停止位置情報に従って再生開始位置を決定し、前記取得工程において前記識別情報が取得されていない場合には前記内部停止位置情報に従って前記再生開始位置を決定するようにコンピュータに実行させることを特徴とする。
また、本発明のプログラムのその他の特徴とするところは、記録媒体から映像データを再生する再生工程と、前記再生工程において再生した映像データを外部表示装置に出力手段から出力する出力工程と、前記再生工程において再生した映像データに係る映像を表示部に表示する表示制御工程と、前記外部表示装置の識別情報を取得する取得工程と、前記外部表示装置に対する前記映像データの出力中に再生を停止した際の再生停止位置に係る外部停止位置情報を前記取得工程において取得した識別情報と対応付けて記憶すると共に、前記表示部に対する前記再生された映像データの表示中に再生を停止した際の再生停止位置に係る内部停止位置情報とを記憶手段に記憶する記憶工程と、前記記憶手段に記憶された外部停止位置情報、または、前記内部停止位置情報に係る再生位置より前記映像データを再生するよう前記再生工程における処理を制御する制御工程とをコンピュータに実行させ、前記制御工程においては、前記取得工程において前記識別情報が取得されている場合には前記記憶手段に記憶された複数の外部停止位置情報のうち前記取得された識別情報に対応する外部停止位置情報に従って再生開始位置を決定し、前記取得工程において前記識別情報が取得されていない場合には前記内部停止位置情報に従って前記再生開始位置を決定するようにコンピュータに実行させることを特徴とする。
【００１０】
本発明の記録媒体は、前記の何れかに記載のプログラムを記録したことを特徴とする。
【発明の効果】
【００１１】
本発明によれば、映像データの再生を停止した際の再生停止位置に係る停止位置情報を、外部表示装置から取得した識別情報と対応付けて記憶するようにした。これにより、接続された表示装置ごとに再生停止位置情報を管理することができ、他の表示装置で再生された場合に再生停止位置情報が変更されることを防止できる。したがって、映像再生装置を複数のユーザが複数の表示装置で利用する場合に、各ユーザが各々の表示装置において過去に再生した映像の続きから再生することができる。
【発明を実施するための最良の形態】
【００１２】
（第１の実施形態）
以下、本発明の映像再生装置を用いた実施形態について、図面を参照しながら説明する。
図１は、本実施形態のビデオカメラの機能構成例を示すブロック図である。
図１において、１０は、複数の再生停止位置情報を格納可能なメモリ（記憶部）を含む再生停止位置情報記憶回路である。２０は、ユーザが動作の指示を行うための複数の操作スイッチが配置された操作パネルである。
【００１３】
３０は、映像再生装置（ビデオカメラ）１の動作を制御するための制御回路である。４０は、外部に接続される表示装置と通信するための通信回路であり、５０は、撮影された映像データ及び音声データ（以下、映像データ及び音声データを併せて映像データと称す。）を出力する映像音声撮影回路であり、６０は、映像データを記録再生するための映像音声記録再生回路である。７０は、外部表示装置に映像データを出力するための映像音声出力端子であり、８０は、映像データを格納するためのハードディスクドライブ（以下ＨＤＤ）である。さらに、９０は、撮影された画像、及び、再生された画像を表示する表示パネル（映像表示部）である。
【００１４】
図２は、本実施形態のビデオカメラと表示装置とが接続された状態を示す全体図である。
図２において、１はビデオカメラであり、２は表示装置である。また、３はビデオカメラ１と表示装置２とを接続するケーブル（通信路）である。本実施形態では、ビデオカメラ１と表示装置２は、ＨＤＭＩなど、映像、音声データをデジタルデータの形態で送受信可能な通信方式に従って接続される。ケーブル３は、ビデオカメラ１から映像及び音声を表示装置２に伝送するとともに、ビデオカメラ１と表示装置２とが通信できるようにしている。
【００１５】
まず、本実施形態のビデオカメラ１の動作モードについて説明する。ビデオカメラ１は、記録モードと再生モードとを有している。操作パネル２０にあるモードスイッチを記録モードの位置にすると、記録モードの停止状態となる。記録モードの停止状態においては、映像音声撮影回路５０から出力された映像データが映像音声記録再生回路６０を介して表示パネル９０に送られ、撮影された画像が表示される。
【００１６】
また、この停止状態において、操作パネル２０のスタートストップボタンが押下されると、記録モードの撮影状態となる。撮影状態においては、映像音声撮影回路５０により得られた映像データが映像音声記録再生回路６０に送られ、ＨＤＤ８０に順次記録される。また、記録モードの撮影状態において、操作パネル２０のスタートストップボタンが押下されると、再び記録モードの停止状態となる。停止状態になると、ＨＤＤ８０に対する映像データの記録が停止される。本実施形態では、記録モードにおいて、スタートストップボタンによる記録開始の指示から記録停止の指示までの間にＨＤＤ８０に記録された一連のシーンの映像データを一つのファイルとして管理する。
【００１７】
一方、操作パネル２０にあるモードスイッチを再生モードの位置にすると、再生モードの停止状態となる。再生モードの停止状態において、ユーザによる操作パネル２０の操作により映像が選択され再生ボタンが押下されると、再生モードの再生状態となる。そして、映像音声記録再生回路６０によりＨＤＤ８０から映像データが再生され、表示パネル９０、及び映像音声出力端子７０に映像データが送られる。また、再生モードの再生状態において、操作パネル２０の停止ボタンが押下されると再生モードの停止状態となる。
【００１８】
さらに、操作パネル２０には、表示パネル９０で映像を表示させるための表示スイッチを有している。この表示スイッチの切り換えに応じて、映像音声記録再生回路６０は映像表示制御手段として機能し、映像データを表示パネル９０に表示するか否かを制御する。再生モードの再生状態において、この表示スイッチが「ＯＮ（動作中）」の状態である場合は、映像音声記録再生回路６０によりＨＤＤ８０から映像データが再生され、表示パネル９０、及び映像音声出力端子７０に映像データが送られる。一方、この表示スイッチが「ＯＦＦ（休止中）」の状態である場合は、映像音声出力端子７０にのみ映像データが送られる。
【００１９】
図３は、映像音声出力端子７０に対して表示装置２を接続した状態で、本実施形態のビデオカメラ１で再生を開始する動作シーケンスの一例を示すタイミングチャートである。
再生モードの停止状態で、操作パネル２０の再生ボタンが押下されると、処理を開始する。まず、ステップＳ３０１において、ビデオカメラ１の制御回路３０は、再生ボタンの押下（再生指示）に応じて、通信回路４０にＩＤ検出コマンドを送る。
【００２０】
次に、ステップＳ３０２において、通信回路４０は、ＩＤ検出コマンドを受け取ると、接続されている表示装置２にＩＤ取得コマンド（要求コマンド）を送る。次に、ステップＳ３０３において、表示装置２は、ＩＤ取得コマンドを受け取ると、表示装置２ごとに割り当てられている固有の識別情報（ＩＤ）を、通信回路４０に送る。
【００２１】
次に、ステップＳ３０４において、通信回路４０は表示装置２から受け取ったＩＤをビデオカメラ１の制御回路３０に転送する。制御回路３０は、通信回路４０からＩＤを受け取ると、次のステップＳ３０５において、そのＩＤに対応付けられた再生停止位置情報を検索する検索コマンドを再生停止位置情報記憶回路１０に送る。
【００２２】
次に、ステップＳ３０６において、再生停止位置情報記憶回路１０は制御回路３０から検索コマンドを受け取ると、その検出コマンドに付加されているＩＤ情報に関連した再生停止位置情報を検索して制御回路３０に送る。なお、過去にその映像データを再生した履歴がなく、初めて映像データを再生する時など、再生停止位置情報が記憶されていない場合もある。この場合は、映像データを最初から再生する旨のコマンドを制御回路３０に送る。次に、ステップＳ３０７において、制御回路３０は、再生停止位置情報記憶回路１０から再生停止位置情報を受け取ると、その再生停止位置情報を用いて、その位置から再生する再生コマンドを映像音声記録再生回路６０に送る。
【００２３】
次に、ステップＳ３０８において、映像音声記録再生回路６０は、制御回路３０から再生コマンドを受け取ると、ＨＤＤ８０から必要な映像データを読み出してデコードした映像音声信号を映像音声出力端子７０に出力する。
【００２４】
操作パネル２０の再生ボタンが押下されてから、以上の動作が行われることにより、ビデオカメラ１は再生モードの再生状態となり、表示装置２は、映像音声出力端子７０から入力された映像音声信号に基づく映像を表示する。なお、本実施形態においては、再生ボタンの押下に応じて表示装置２のＩＤを取得しているが、表示装置２がビデオカメラ１に接続された直後にＩＤを予め取得するようにしてもよい。この場合、取得したＩＤは再生停止位置情報記憶回路１０に記憶される。また、再生ボタンが押下される前に表示装置２との接続が中断した場合は、予め取得したＩＤを消去し、表示装置２が再度接続された場合に、再度ＩＤを取得する。
【００２５】
図４は、本実施形態のビデオカメラ１で再生を終了（停止）する動作シーケンスの一例を示すタイミングチャートである。
再生モードの再生状態で、操作パネル２０の停止ボタンが押下されると、処理を開始する。まず、ステップＳ４０１において、制御回路３０は、停止ボタンの押下に応じて、映像音声記録再生回路６０に停止コマンドを送る。次に、ステップＳ４０２において、映像音声記録再生回路６０は、制御回路３０から停止コマンドを受け取ると、デコードを中止して映像音声信号を表示装置２に出力するのを止める。
【００２６】
次に、ステップＳ４０３において、制御回路３０は、映像音声記録再生回路６０に停止位置取得コマンドを送る。次に、ステップＳ４０４において、映像音声記録再生回路６０は、制御回路３０から停止位置取得コマンドを受け取ると、再生を停止した位置の情報（再生停止位置情報）を制御回路３０に送る。
【００２７】
次に、ステップＳ４０５において、制御回路３０は、再生を開始したときに取得した表示装置２のＩＤと対応付けてその再生停止位置情報を記憶するコマンドを再生停止位置情報記憶回路１０に送る。次に、ステップＳ４０６において、再生停止位置情報記憶回路１０は、制御回路３０から再生停止位置情報を記憶するコマンドを受け取ると、表示装置２のＩＤと対応付けて再生停止位置情報を記憶する。このようにして、本実施形態のビデオカメラ１は、再生を停止した位置を、接続されている表示装置ごとに管理するようにしている。従って、ビデオカメラ１を異なる表示装置２に接続して再生する度に、接続された複数の表示装置のＩＤに対応付けて複数の再生停止位置情報が記憶される。
【００２８】
以上の説明は、表示装置２が接続された状態で映像を再生した場合（出力中の場合）の動作である。一方、表示装置２が接続されていない場合（表示装置２とは物理的にもしくはネットワーク上で接続されているがＩＤを取得できない場合も含む）には、ＨＤＤ８０から再生された映像データは表示パネル９０にのみ表示される。この場合、操作パネル２０の停止ボタンが押下されると、表示装置のＩＤを取得できないので、外部の表示装置２のＩＤに対応づけた停止位置情報（外部停止位置情報）を記憶することができない。そこで、このような場合には、代わりに表示パネル９０に対応する内部停止位置情報を生成して再生停止位置情報記憶回路１０に記憶する。
【００２９】
なお、表示装置２が接続されており、さらに、表示パネル９０にも映像が表示中である場合に、前述した外部停止位置情報及び内部停止位置情報の両方を生成するようにしてもよい。
【００３０】
そして、表示装置２が接続されていない状態で、前述の様に再生モードにおいて映像データが選択されて再生の指示があると、制御回路３０は、再生停止位置情報記憶回路１０に記憶された内部停止位置情報にて指定された位置から映像データを再生するよう、映像音声記録再生回路６０に再生コマンドを送る。映像音声記録再生回路６０は、この再生コマンドに応じて、ＨＤＤ８０から映像データを再生し、表示パネル９０に出力する。これにより、例えば旅行先などでユーザが映像の続きを再生したいときに、表示装置２がない場合においても映像の続きを再生することができる。
【００３１】
また、表示装置２が接続された状態であっても、再生停止位置情報記憶回路１０に内部停止位置情報が記憶されており、さらに表示スイッチが「ＯＮ」の状態である場合は、内部停止位置情報に基づいて再生を開始するようにしてもよい。この場合、再生モードにおいて映像データが選択されて再生の指示があると、制御回路３０は、再生停止位置情報記憶回路１０に記憶された内部停止位置情報にて指定された位置から映像データを再生するよう、映像音声記録再生回路６０に再生コマンドを送る。
【００３２】
一方、表示装置２が接続された状態であって、表示スイッチが「ＯＦＦ」の状態である場合、もしくは再生停止位置情報記憶回路１０に内部停止位置情報が記憶されていない場合は、図３に示した手順と同じである。すなわち、表示装置２のＩＤに対応付けられた再生停止位置情報にて指定された再生位置から映像データを再生するよう、映像音声記録再生回路６０に再生コマンドを送る。
【００３３】
また、本実施形態では、再生装置と表示装置との間を有線で接続しているが、無線による接続であっても機能的な差異はなく同様の効果がある。また、表示装置２が接続されていないとき、あるいは、接続された表示装置２から表示装置情報が得られないときは、再生停止位置情報を利用しないようにしてもよい。具体的には、制御回路３０は、再生停止位置情報を検索する検索コマンドを再生停止位置情報記憶回路１０に送らず、再生停止位置情報記憶回路１０が再生停止位置情報を読み出さないようにしてもよい。この場合、前述の内部停止位置情報に従って再生開始位置を決定するか、或いは、ＨＤＤ８０に記憶された複数のシーンのうち、予め決められたシーン、例えば、最後に記録したシーンの先頭から再生するようにしてもよい。
【００３４】
また、本実施形態では、映像データと表示装置のＩＤとを、同じ通信回路（伝送路）を介して送受信したが、表示装置のＩＤ情報を映像データの伝送路とは異なる手段を用いて取得することも可能である。例えば、映像データは映像音声出力端子を介して表示装置に送信し、ＩＤ情報は、表示装置に設けられた無線ＩＣタグや、前述の無線通信手段などにより取得することも可能である。
【００３５】
以上のように、本実施形態においては、外部の表示装置２からＩＤを取得し、映像データの再生を停止した際に、前記取得したＩＤと対応付けて再生停止位置情報を記憶するようにした。これにより、接続された表示装置ごとに再生停止位置情報を管理することができ、他の表示装置で再生され場合には再生停止位置情報が上書きされることを防止できる。したがって、複数のユーザが利用する場合に、各ユーザが過去に再生した映像の続きを再生することができる。
【００３６】
（本発明に係る他の実施形態）
前述した本発明の実施形態における映像再生装置を構成する各手段、並びに映像再生方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３７】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００３８】
なお、本発明は、前述した実施形態の機能を実現するソフトウェアのプログラムを、システムまたは装置に直接、または遠隔から供給する場合も含む。そして、そのシステムまたは装置のコンピュータが前記供給されたプログラムコードを読み出して実行することによっても達成される場合を含む。
【００３９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４０】
その場合、プログラムの機能を有していれば、オブジェクトコード、インタプリタにより実行されるプログラム、ＯＳに供給するスクリプトデータ等の形態であってもよい。
【００４１】
プログラムを供給するための記録媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４２】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００４３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４４】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４５】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００４６】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４７】
【図１】本発明の実施形態におけるビデオカメラの機能構成例を示すブロック図である。
【図２】本発明の実施形態において、ビデオカメラと表示装置とが接続されている状態を示す全体図である。
【図３】本発明の実施形態のビデオカメラで再生を開始する動作シーケンスの一例を示すタイミングチャートである。
【図４】本発明の実施形態のビデオカメラで再生を終了する動作シーケンスの一例を示すタイミングチャートである。
【符号の説明】
【００４８】
１  ビデオカメラ
２  表示装置
３  ケーブル
１０  再生停止位置情報記憶回路
３０  制御回路
４０  通信回路
５０  映像音声撮影回路
６０  映像音声記録再生回路
７０  映像音声出力端子
８０  ＨＤＤ
９０  表示パネル
【図１】
2008294836.tif 000003
【図２】
2008294836.tif 000004
【図３】
2008294836.tif 000005
【図４】
2008294836.tif 000006